(57)【要約】【課題】外装体の通気性が向上し、内部の蒸れが低減され、漏れに対する不安も想起し難く、使用感が向上するパンツ型吸収性物品を提供すること。【解決手段】本発明のパンツ型吸収性物品１Ａの外装体２は、内層シート部材２１と外層シート部材２２との間に、横方向Ｙに伸長した状態で配された弾性部材２３が縦方向Ｘに複数本間欠的に配されて形成されている。内層シート部材２１は複数個の内側開孔部２５を有し、外層シート部材２２は複数個の外側開孔部２６を有している。外装体２は、内側開孔部２５と外側開孔部２６とが混在して互いに重ならない位置に配されて形成されている。弾性部材２３を挟んで、上側領域に配された内側開孔部２５及び外側開孔部２６の総数と、下側領域に配された内側開孔部２５及び外側開孔部２６の総数とが同じである。【選択図】図１
2015128573.tif 000002
【特許請求の範囲】
【請求項１】
着用時に着用者の腹側に配される腹側領域及び着用時に着用者の背側に配される背側領域を有する外装体と、該外装体の内側に固定された縦長の吸収体を有す吸収性本体とを具備し、前記腹側領域及び前記背側領域それぞれの両側縁部が接合されて、一対のサイドシール部、ウエスト開口部及び一対のレッグ開口部が形成されたパンツ型吸収性物品であって、
前記外装体は、肌対向面側の内層シート部材と非肌対向面側の外層シート部材との間に、前記パンツ型吸収性物品の横方向に伸長した状態で配された弾性部材が、前記パンツ型吸収性物品の縦方向に、複数本間欠的に配されて形成されており、
前記内層シート部材は複数個の内側開孔部を有し、前記外層シート部材は複数個の外側開孔部を有しており、
前記外装体は、前記内側開孔部と前記外側開孔部とが混在して互いに重ならない位置に配されて形成されており、
１本の前記弾性部材に着目して、該弾性部材を挟んで、前記パンツ型吸収性物品の縦方向の上側領域に配された前記内側開孔部及び前記外側開孔部の総数と、該縦方向の下側領域に配された前記内側開孔部及び前記外側開孔部の総数とが同じであるパンツ型吸収性物品。
【請求項２】
前記外装体は、少なくとも背側領域において、前記内側開孔部と前記外側開孔部とが混在して互いに重ならない位置に配されて形成されている請求項１に記載のパンツ型吸収性物品。
【請求項３】
前記外装体は、前記内側開孔部と前記外側開孔部とが交互に配されて形成されている請求項１又は２に記載のパンツ型吸収性物品。
【請求項４】
前記パンツ型吸収性物品の縦方向に間欠的に配された前記弾性部材の間に、少なくとも前記内側開孔部が配されている請求項１〜３の何れか１項に記載のパンツ型吸収性物品。
【請求項５】
前記内側開孔部及び前記外側開孔部は、それぞれ、前記パンツ型吸収性物品の縦方向に長い形状である請求項１〜４の何れか１項に記載のパンツ型吸収性物品。
【請求項６】
前記外側開孔部は、図柄模様に形成されている請求項１〜５の何れか１項に記載のパンツ型吸収性物品。
【請求項７】
前記外装体は、前記腹側領域から前記背側領域に亘って形成されており、
前記内側開孔部及び前記外側開孔部は、複数本の前記弾性部材が配されていない非弾性部材配置領域に在るものの方が、該弾性部材が配された弾性部材配置領域に在るものに比べて、開孔面積が大きい請求項１〜６の何れか１項に記載のパンツ型吸収性物品。
【請求項８】
前記内側開孔部及び前記外側開孔部は、前記吸収性本体側に在るものの方が、前記サイドシール部側に在るものに比べて、開孔面積が小さい請求項１〜７の何れか１項に記載のパンツ型吸収性物品。
【発明の詳細な説明】
【技術分野】
【０００１】
本発明は、パンツ型使い捨ておむつ等のパンツ型吸収性物品に関する。
【背景技術】
【０００２】
一般的に、パンツ型使い捨ておむつは、おむつの外形を形成する外装体と、該外装体の内側に固定された吸収体を有す吸収性本体とを具備する。外装体の通気性を向上させ、着用時の使い捨ておむつの内部の蒸れを低減し、使い捨ておむつの使用感を高める観点から、例えば、特許文献１には、外装体に、貫通孔である通気孔を設けたパンツ型使い捨ておむつが記載されている。特許文献１に記載のパンツ型吸収性物品によれば、外装体の通気性が向上する。
【０００３】
これとは別の技術として、本出願人は、先に、外装体に補助開口部を設けたパンツ型使い捨ておむつを提案した（特許文献２）。特許文献２に記載のパンツ型使い捨ておむつによれば、手の指が不自由な人でも、補助開口部に指を差し込んで、一人で着用することができる。
【先行技術文献】
【特許文献】
【０００４】
【特許文献１】特開平３−２５１２４５号公報
【特許文献２】特開２００４-２６７３３５号公報
【発明の概要】
【発明が解決しようとする課題】
【０００５】
しかし、特許文献１に記載の如きパンツ型使い捨ておむつは、外装体に、貫通孔が設けられているため、使用者に、漏れが発生してしまうのではないかと、漏れに対する不安を招いてしまう。
【０００６】
また、特許文献２に記載のパンツ型使い捨ておむつは、手の指が不自由な人でも一人で着用できる特異なおむつであり、指を差し込むことができる補助開口部を有している。このように、特許文献２には、漏れに対する改良に関して何ら記載されていない。
【０００７】
したがって本発明は、前述した従来技術が有する欠点を解消し得るパンツ型吸収性物品を提供することにある。
【課題を解決するための手段】
【０００８】
本発明は、着用時に着用者の腹側に配される腹側領域及び着用時に着用者の背側に配される背側領域を有する外装体と、該外装体の内側に固定された縦長の吸収体を有す吸収性本体とを具備し、前記腹側領域及び前記背側領域それぞれの両側縁部が接合されて、一対のサイドシール部、ウエスト開口部及び一対のレッグ開口部が形成されたパンツ型吸収性物品であって、前記外装体は、肌対向面側の内層シート部材と非肌対向面側の外層シート部材との間に、前記パンツ型吸収性物品の横方向に伸長した状態で配された弾性部材が、前記パンツ型吸収性物品の縦方向に、複数本間欠的に配されて形成されており、前記内層シート部材は複数個の内側開孔部を有し、前記外層シート部材は複数個の外側開孔部を有しており、前記外装体は、前記内側開孔部と前記外側開孔部とが混在して互いに重ならない位置に配されて形成されており、１本の前記弾性部材に着目して、該弾性部材を挟んで、前記パンツ型吸収性物品の縦方向の上側領域に配された前記内側開孔部及び前記外側開孔部の総数と、該縦方向の下側領域に配された前記内側開孔部及び前記外側開孔部の総数とが同じであるパンツ型吸収性物品を提供するものである。
【発明の効果】
【０００９】
本発明によれば、外装体の通気性が向上し、内部の蒸れが低減され、漏れに対する不安も想起し難く、使用感が向上する。
【図面の簡単な説明】
【００１０】
【図１】図１は、本発明の第１実施形態であるパンツ型使い捨ておむつの着用状態を示す斜視図である。
【図２】図２は、図１に示すパンツ型使い捨ておむつの組み立て状態を説明するための図である。
【図３】図３は、図１に示すパンツ型使い捨ておむつを展開して伸長させた状態を外装体の外層シート部材側から見た平面図である。
【図４】図４は、図３のＩＶ−ＩＶ線断面図である。
【図５】図５は、本発明の第２実施形態であるパンツ型使い捨ておむつを外装体の外層シート部材側から見た一部平面図である。
【発明を実施するための形態】
【００１１】
以下、本発明のパンツ型吸収性物品を、その好ましい第１実施形態に基づき図面を参照しながら説明する。
第１実施形態のパンツ型使い捨ておむつ１Ａ（以下、「おむつ１Ａ」ともいう。）は、図１に示すように、着用時に着用者の腹側に配される腹側領域Ａ及び着用時に着用者の背側に配される背側領域Ｂを有する外装体２と、外装体２の内側に固定された吸収体３３を有する長方形状の吸収性本体３とを具備し、腹側領域Ａの両側縁部２ａ，２ａと背側領域Ｂの両側縁部２ｂ，２ｂとが接合されて、一対のサイドシール部５，５、ウエスト開口部ＷＯ及び一対のレッグ開口部ＬＯ，ＬＯが形成されている。おむつ１Ａにおいては、外装体２が、腹側領域Ａから背側領域Ｂに亘って形成されており、腹側領域Ａと背側領域Ｂとの間に股下領域Ｃを有している。
本明細書において、「肌対向面」とは、吸収性本体３を構成する後述する表面シート３１などの各部材の表裏両面のうち、着用時に着用者の肌側に配される面であり、「非肌対向面」とは、吸収性本体３を構成する後述する表面シート３１などの各部材の表裏両面のうち、着用時に着用者の肌側とは反対側に向けられる面である。
また、各図に示す「Ｘ方向」は、吸収性本体３の縦方向に延びる中心線ＣＬ１に平行な方向である。また各図に示す「Ｙ方向」は、中心線ＣＬ１に直交する方向であり、吸収性本体３の横方向と同じ方向でもある。
【００１２】
外装体２の内側には、図１，図２に示すように、吸収性本体３が固定されている。おむつ１Ａの吸収性本体３は、図２に示すように、実質的にＸ方向に縦長の長方形状であり、液透過性の表面シート３１、液不透過性（撥水性も含む）の裏面シート３２、両シート３１，３２間に介在する吸収体３３を備えている。おむつ１Ａにおいては、吸収体３３は、縦方向（Ｘ方向）に長い矩形型である。吸収性本体３の縦方向（Ｘ方向）に沿う両側部には、図２に示すように、液不透過性又は撥水性で且つ通気性の素材から構成された側方カフス３４，３４が設けられている。各側方カフス３４の自由端部近傍には、立体ギャザー形成用弾性部材３５が縦方向（Ｘ方向）に伸長した状態で配されている。おむつの着用時には、立体ギャザー形成用弾性部材３５の収縮により側方カフス３４の自由端部側が起立し、所謂立体ギャザーとなり、横方向（Ｙ方向）への体液の流出が阻止される。
【００１３】
外装体２は、肌対向面側の内層シート部材２１と非肌対向面側の外層シート部材２２との間に、横方向（Ｙ方向）に伸長した状態で配された弾性部材２３が、縦方向（Ｘ方向）に、複数本間欠的に配されて形成されている。おむつ１Ａにおいては、内層シート部材２１が１枚のシートからなり、外層シート部材２２も１枚のシートからなる。内層シート部材２１及び外層シート部材２２は、図２に示すように、縦方向（Ｘ方向）中央部において内方に括れており、互いに同形同大に形成されている。また、おむつ１Ａにおいては、内層シート部材２１及び外層シート部材２２の間に、中央部の括れに沿って伸長した状態でレッグ弾性部材２４が配されている。
【００１４】
おむつ１Ａの外装体２は、図２に示すように、吸収性本体３が直接固定される内層シート部材２１と内層シート部材２１の外面側に配される外層シート部材２２との間に、複数本の弾性部材２３及びレッグ弾性部材２４を配し、内層シート部材２１又は外層シート部材２２の内面の全面に、スパイラル状或いはストライプ状に塗布された接着剤により、それらが貼り合わされて形成されている。
【００１５】
以上のように形成された外装体２は、図２，図３に示すように、縦方向（Ｘ方向）中央部において内方に括れている。おむつ１Ａにおいては、外装体２の腹側領域Ａ側の両側縁部２ａ，２ａの内面と外装体２の背側領域Ｂ側の両側縁部２ｂ，２ｂの内面同士を互いに重ね合わせ、合掌状に固定することにより、一対のサイドシール部５，５が形成されるとともに、図１に示す、ウエスト開口部ＷＯ及び一対のレッグ開口部ＬＯ，ＬＯが形成されている。
【００１６】
外装体２について、詳述すると、腹側領域Ａ及び背側領域Ｂそれぞれに配された弾性部材２３は、吸収性本体３より縦方向（Ｘ方向）外方に間欠的に配された複数本のウエスト弾性部材２３１と、ウエスト弾性部材２３１より縦方向（Ｘ方向）の下方に間欠的に配された複数本の胴回り弾性部材２３２とを有している。外装体２を構成する内層シート部材２１及び外層シート部材部材２２の間に、伸長した状態でウエスト弾性部材２３１及び胴回り弾性部材２３２が配されていることにより、おむつ１Ａの外装体２には、ウエスト弾性領域（ウエストギャザー）及び胴回り弾性領域（胴回りギャザー）が形成される。尚、胴回り弾性部材２３２は、吸収性本体３と重なる位置においては細かく分断されて、もはや収縮力を発現しない状態となっていることが好ましい。また、おむつ１Ａの外装体２には、伸長した状態でレッグ弾性部材２４が配されていることにより、環状の一対のレッグ弾性領域（レッグギャザー）が形成される。
【００１７】
また、外装体２を構成する内層シート部材２１は複数個の内側開孔部２５を有し、外層シート部材２２は複数個の外側開孔部２６を有している。外装体２は、図１，図３に示すように、内側開孔部２５と外側開孔部２６とが混在して互いに重ならない位置に配されて形成されている。おむつ１Ａにおいては、内層シート部材２１の内側開孔部２５と外層シート部材２２の外側開孔部２６とが、腹側領域Ａから背側領域Ｂに亘る全領域にて、混在した状態で配され、平面視して、内側開孔部２５及び外側開孔部２６が互いに重ならない位置に配されている。このように、おむつ１Ａにおいては、内側開孔部２５及び外側開孔部２６が、腹側領域Ａから背側領域Ｂに亘る全領域に配されているが、外装体２の通気性を向上させ、おむつ１Ａの内部の蒸れを低減させる観点からは、少なくとも背側領域Ｂに配されていればよい。ここで、「重ならない位置に配されている」とは、内側開孔部２５と外側開孔部２６とが全く重なった部分を有さない場合のみならず、一部重なった部分を有する場合も含むことを意味する。尚、一部重なった部分を有する場合とは、一部重なっている内側開孔部２５及び外側開孔部２６の数が、内側開孔部２５及び外側開孔部２６の全体の数に対して２０％以下である場合をいう。
【００１８】
内側開孔部２５及び外側開孔部２６について、更に詳述すると、図３に示すように、外装体２は、内側開孔部２５と外側開孔部２６とが交互に配されて形成されている。具体的には、おむつ１Ａにおいては、外装体２の腹側領域Ａ及び背側領域Ｂそれぞれは、横方向（Ｙ方向）に伸長状態の弾性部材２３が縦方向（Ｘ方向）に間欠的に配された弾性部材配置領域となっており、外装体２の股下領域Ｃは、横方向（Ｙ方向）に伸長状態の弾性部材２３が配されていない非弾性部材配置領域となっている。弾性部材配置領域である腹側領域Ａ及び背側領域Ｂそれぞれにおいては、内側開孔部２５と外側開孔部２６が、縦方向（Ｘ方向）に交互に配されて互いに重ならない位置となっており、横方向（Ｙ方向）にも交互に配されて互いに重ならない位置となっている。非弾性部材配置領域である股下領域Ｃにおいては、内側開孔部２５と外側開孔部２６が、横方向（Ｙ方向）に交互に配されて互いに重ならない位置となっており、吸収性本体３の横方向に延びる中心線ＣＬ２に線対称となる位置に配されている。このように、内側開孔部２５及び外側開孔部２６それぞれは、弾性部材配置領域である腹側領域Ａ及び背側領域Ｂそれぞれに配された第１内側開孔部２５１及び第１外側開孔部２６１と、非弾性部材配置領域である股下領域Ｃに配された第２内側開孔部２５２及び第２外側開孔部２６２とを有している。
【００１９】
さらに、横方向（Ｙ方向）に伸長状態の１本の弾性部材２３に着目して、該弾性部材２３を挟んで、縦方向（Ｘ方向）の上側領域ＵＴに配された内側開孔部２５及び外側開孔部２６の総数と、該弾性部材２３を挟んで、縦方向（Ｘ方向）の下側領域ＤＴに配された内側開孔部２５及び外側開孔部２６の総数とが同じである。具体的には、着目する１本の弾性部材２３は、腹側領域Ａ及び背側領域Ｂそれぞれに配された複数本のウエスト弾性部材２３１及び複数本の胴回り弾性部材２３２の中から選ぶことができる。また、ここで言う内側開孔部２５及び外側開孔部２６とは、弾性部材配置領域である腹側領域Ａ及び背側領域Ｂそれぞれに配された第１内側開孔部２５１及び第１外側開孔部２６１を意味する。おむつ１Ａにおいては、例えば、図３に示すように、複数本のウエスト弾性部材２３１及び胴回り弾性部材２３２の中から選ばれた１本の胴回り弾性部材２３２Ａに着目して、該胴回り弾性部材２３２Ａを挟んで、上側領域ＵＴに配された第１内側開孔部２５１及び第１外側開孔部２６１の総数と、下側領域ＤＴに配された第１内側開孔部２５１及び第１外側開孔部２６１の総数とが同じである。ここで総数が同じとは、弾性部材を挟んだ縦方向（Ｘ方向）の上側領域ＵＴに配された内側開孔部２５及び外側開孔部２６の総数と、該弾性部材２３を挟んで、縦方向（Ｘ方向）の下側領域ＤＴに配された内側開孔部２５及び外側開孔部２６の総数との比率が４：６〜６：４の範囲であることをいう。このような関係が、複数本の弾性部材２３の内の少なくとも１本の弾性部材２３において、形成されており、偏りのない応力を得る観点から、複数本の弾性部材２３において形成されていることが好ましく、各弾性部材２３において形成されていることが更に好ましい。上側領域ＵＴに配された第１内側開孔部２５１及び第１外側開孔部２６１の総数と、下側領域ＤＴに配された第１内側開孔部２５１及び第１外側開孔部２６１の総数とは、具体的に、10個以上80個以下であることが好ましく、20個以上60個以下であることが更に好ましい。
【００２０】
弾性部材配置領域である腹側領域Ａ及び背側領域Ｂそれぞれにおいては、図３に示すように、縦方向（Ｘ方向）に間欠的に配された弾性部材２３の間に、第１内側開孔部２５１及び第１外側開孔部２６１が交互に１個ずつ配されている。尚、弾性部材２３が着用者の肌に触れずに肌トラブルを発現させない観点からは、少なくとも肌対向面側の第１内側開孔部２５１が、縦方向（Ｘ方向）に間欠的に配された弾性部材２３の間に配されており、弾性部材２３が直接肌に触れないように形成されていればよい。
【００２１】
おむつ１Ａにおいては、図３に示すように、非弾性部材配置領域である股下領域Ｃに配された第２内側開孔部２５２及び第２外側開孔部２６２は、その開孔面積が、弾性部材配置領域である腹側領域Ａ及び背側領域Ｂそれぞれに配された第１内側開孔部２５１及び第１外側開孔部２６１の開孔面積よりも大きくなっている。このように、弾性部材配置領域における第１内側開孔部２５１及び第１外側開孔部２６１の開孔面積が、非弾性部材配置領域における第２内側開孔部２５２及び第２外側開孔部２６２の開孔面積よりも小さいので、漏れに対する不安も想起し難く、通気性が向上する。該効果を一層奏する観点から、弾性部材配置領域における第１内側開孔部２５１及び第１外側開孔部２６１の開孔面積（Ｓ１）に対する非弾性部材配置領域における第２内側開孔部２５２及び第２外側開孔部２６２の開孔面積（Ｓ２）の比（Ｓ２／Ｓ１）が、２以上５００以下であることが好ましく、５以上１００以下であることが更に好ましい。また、弾性部材配置領域（腹側領域Ａ及び背側領域Ｂ）においては、第１内側開孔部２５１の開孔面積（Ｓ３）が、第１外側開孔部２６１の開孔面積（Ｓ４）よりも大きい方が、内側を大きくすることによる漏れに対する不安を想起させることなく通気性を確保できるので好ましい。第１外側開孔部２６１の開孔面積（Ｓ４）に対する第１内側開孔部２５１の開孔面積（Ｓ３）の比（Ｓ３／Ｓ４）が、２以上１００以下であることが好ましく、２以上５０以下であることが更に好ましい。更に、非弾性部材配置領域（股下領域Ｃ）においては、第２内側開孔部２５２の開孔面積（Ｓ５）が、第２外側開孔部２６２の開孔面積（Ｓ６）よりも大きいことが好ましく、第２外側開孔部２６２の開孔面積（Ｓ６）に対する第２内側開孔部２５２の開孔面積（Ｓ５）の比（Ｓ５／Ｓ６）が、２以上３０以下であることが好ましく、２以上１０以下であることが更に好ましい。具体的には、弾性部材配置領域における第１内側開孔部２５１及び第１外側開孔部２６１の平均開孔面積は、１ｍｍ２以上１００ｍｍ２以下であることが好ましく、非弾性部材配置領域における第２内側開孔部２５２及び第２外側開孔部２６２の平均開孔面積は、２０ｍｍ２以上１５００ｍｍ２以下であることが好ましい。
【００２２】
内側開孔部２５及び外側開孔部２６を平面視した形状としては、円形状、多角形状、楕円形状などの幾何学模様形状や、サイズ情報を象った形状が挙げられ、特に弾性部材配置領域の縦方向の襞形成の観点から、縦方向（Ｘ方向）に長い形状であることが好ましい。また、外側開孔部２６を平面視した形状としては、おむつ１Ａの外観を向上させる観点から、キャラクター形状等の図柄模様であることが好ましい。おむつ１Ａにおいては、弾性部材配置領域である腹側領域Ａ及び背側領域Ｂそれぞれに配された第１内側開孔部２５１及び第１外側開孔部２６１の形状が、縦方向（Ｘ方向）に長い楕円形状に形成されており、非弾性部材配置領域である股下領域Ｃに配された第２内側開孔部２５２の形状が、第１内側開孔部２５１及び第１外側開孔部２６１の開口面積よりも大きな縦方向（Ｘ方向）に長い楕円形状に形成されている。また、非弾性部材配置領域である股下領域Ｃに配された第２外側開孔部２６２の形状が、第１内側開孔部２５１及び第１外側開孔部２６１の開口面積よりも大きい、星柄の図柄形状に形成されている。
【００２３】
内側開孔部２５は、外装体２を構成する内層シート部材２１を、溶融させたり、切り抜いたり、打ち抜いたりして、予め形成することが好ましい。外側開孔部２６も、同様に、外装体２を構成する外層シート部材２２を、溶融させたり、切り抜いたり、打ち抜いたりして、予め形成することが好ましい。
【００２４】
第１実施形態のパンツ型使い捨ておむつ１Ａの形成材料について説明する。
外装体２を構成する外層シート部材部材２２と内層シート部材２１としては、通常、使い捨ておむつ等の吸収性物品に用いられるものであれば、特に制限なく用いることができる。例えば、外層シート部材部材２２及び内層シート部材２１としては、撥水性の不織布等を用いることができる。
【００２５】
吸収性本体３を構成する表面シート３１、裏面シート３２、吸収体３３及び側方カフス３４を形成するシートとしては、それぞれ、通常、使い捨ておむつ等の吸収性物品に用いられるものであれば、特に制限なく用いることができる。例えば、表面シート３１としては、親水性且つ液透過性の不織布等を用いることができ、裏面シート３２としては、液不透過性又は撥水性の樹脂フィルムや樹脂フィルムと不織布の積層体等を用いることができる。吸収体３３としては、吸収性ポリマーの粒子及び繊維材料から構成された吸収コアをティッシュペーパによって被覆されているものを用いることができる。側方カフス３４を形成するシートとしては、伸縮性のフィルム、不織布、織物またはそれらの積層シート等を用いることができる。
【００２６】
ウエスト弾性部材２３１、胴回り弾性部材２３２、レッグ弾性部材２４、及び立体ギャザー形成用弾性部材３５としては、通常、使い捨ておむつ等の吸収性物品に用いられるものであれば、特に制限なく用いることができる。例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００２７】
サイドシール部５の接合には、通常、使い捨ておむつ等の吸収性物品に用いられる接着剤や、ヒートエンボス、超音波エンボス等の融着手段が用いられる。吸収性本体３と外装体２の内層シート部材２１との固定や、表面シート３１、裏面シート３２、側方カフス３４の固定も同様に、通常、使い捨ておむつ等の吸収性物品に用いられる接着剤やヒートエンボス、超音波エンボス等の融着手段が用いられる。
【００２８】
上述した本発明の第１施形態のパンツ型使い捨ておむつ１Ａを使用した際の作用効果について説明する。
おむつ１Ａにおいては、図１に示すように、外装体２を構成する内層シート部材２１が内側開孔部２５を有し、外層シート部材２２が外側開孔部２６を有しているので、外装体２の通気性が向上し、おむつ１Ａ着用時の内部の蒸れが低減され、使用感が向上する。また、図１に示すように、内層シート部材２１の内側開孔部２５と外層シート部材２２の外側開孔部２６とが、混在しながら、図４に示すように、互いに重ならない位置に配されて、外装体２が形成されている。その為、おむつ１Ａの着用中に外側開孔部２６を介して着用者の肌が見えないので、使用者に漏れに対する不安を想起させ難く、使用感が向上する。特に、おむつ１Ａにおいては、内側開孔部２５と外側開孔部２６とが交互に配されているので、外観も良好となる。特に、おむつ１Ａにおいては、非弾性部材配置領域である股下領域Ｃに配された第２外側開孔部２６２の形状が、第１内側開孔部２５１及び第１外側開孔部２６１の開口面積よりも大きい、星柄の図柄形状に形成されているので、更に外観が良好となる。
【００２９】
また、おむつ１Ａにおいては、図３に示すように、横方向（Ｙ方向）に伸長状態の１本の弾性部材２３に着目して、該弾性部材２３を挟んで、上側領域ＵＴに配された内側開孔部２５及び外側開孔部２６の総数と、下側領域ＤＴに配された内側開孔部２５及び外側開孔部２６の総数とが同じである。その為、弾性部材２３の上下でシートの剛性に偏りがなくなり、均等に応力を得ることが出来る。
【００３０】
また、おむつ１Ａにおいては、図１に示すように、肌対向面側の第１内側開孔部２５１が、縦方向（Ｘ方向）に間欠的に配された弾性部材２３の間に配されており、弾性部材２３が直接肌に触れないように形成されているので、弾性部材２３が着用者の肌に触れずに肌トラブルを発現させ難く、使用感が向上する。
【００３１】
また、おむつ１Ａにおいては、図１に示すように、弾性部材配置領域である腹側領域Ａ及び背側領域Ｂそれぞれに配された第１内側開孔部２５１及び第１外側開孔部２６１の形状が、縦方向（Ｘ方向）に長い楕円形状に形成されており、非弾性部材配置領域である股下領域Ｃに配された第２内側開孔部２５２の形状も、縦方向（Ｘ方向）に長い楕円形状に形成されている。その為、弾性部材配置領域では長さ方向の襞の形成を誘引しやすく、また、非弾性部材配置領域においては長さ方向に伸びにくく装着性向上の効果を奏する。
【００３２】
次に、本発明の第２実施形態のパンツ型使い捨ておむつ１Ｂ（以下、「おむつ１Ｂ」とも言う。）について、図５に基づいて説明する。
第２実施形態のおむつ１Ｂについては、第１実施形態のおむつ１Ａと異なる点について説明する。特に説明しない点は、おむつ１Ａと同様であり、おむつ１Ａの説明が適宜適用される。
【００３３】
おむつ１Ｂは、図５に示すように、内側開孔部２５及び外側開孔部２６は、吸収性本体３側に在るものの方が、サイドシール部５側に在るものに比べて、開孔面積が小さく形成されている。詳述すると、おむつ１Ｂの外装体２においては、内層シート部材２１の内側開孔部２５と外層シート部材２２の外側開孔部２６とが、吸収性本体３を除く腹側領域Ａから背側領域Ｂに亘る領域にて、混在した状態で配され、平面視して、交互に互いに重ならない位置に配されている。
【００３４】
具体的には、おむつ１Ｂにおいては、図５に示すように、弾性部材配置領域である腹側領域Ａ及び背側領域Ｂそれぞれに配された第１内側開孔部２５１及び第１外側開孔部２６１の形状が、縦方向（Ｘ方向）に長い楕円形状に形成されており、非弾性部材配置領域である股下領域Ｃに配された第２外側開孔部２６２及び第２内側開孔部２５２の形状が、第１内側開孔部２５１及び第１外側開孔部２６１の開口面積よりも大きな縦方向（Ｘ方向）に長い楕円形状に形成されている。
【００３５】
おむつ１Ｂにおいては、図５に示すように、弾性部材配置領域である腹側領域Ａ及び背側領域Ｂそれぞれにおけるウエスト弾性部材２３１が配されたウエスト弾性領域（ウエストギャザー）にて、第１内側開孔部２５１及び第１外側開孔部２６１が、縦方向（Ｘ方向）に交互に配されて互いに重ならない位置となっており、横方向（Ｙ方向）にも交互に配されて互いに重ならない位置となっている。そして、第１内側開孔部２５１及び第１外側開孔部２６１は、サイドシール部５側から吸収性本体３側、即ち縦方向（Ｘ方向）に延びる中心線ＣＬ１側に向かって、横方向（Ｙ方向）内方に向かうに従って漸次開孔面積が小さく形成されている。
【００３６】
また、おむつ１Ｂにおいては、図５に示すように、弾性部材配置領域である腹側領域Ａ及び背側領域Ｂそれぞれにおける胴回り弾性部材２３２が配された胴回り弾性領域（胴回りギャザー）にて、第１内側開孔部２５１及び第１外側開孔部２６１が、吸収性本体３と重なる領域に配されておらず、吸収性本体３と重なる領域を除く領域にて、縦方向（Ｘ方向）に交互に配されて互いに重ならない位置となっており、横方向（Ｙ方向）にも交互に配されて互いに重ならない位置となっている。そして、第１内側開孔部２５１及び第１外側開孔部２６１は、サイドシール部５側から吸収性本体３側、即ち縦方向（Ｘ方向）に延びる中心線ＣＬ１側に向かって、横方向（Ｙ方向）内方に向かうに従って漸次開孔面積が小さく形成されている。
【００３７】
また、おむつ１Ｂにおいては、図５に示すように、非弾性部材配置領域である股下領域Ｃに配された第２内側開孔部２５２及び第２外側開孔部２６２が、吸収性本体３と重なる領域に配されておらず、吸収性本体３と重なる領域を除く領域にて、縦方向（Ｘ方向）に交互に配されて互いに重ならない位置となっており、横方向（Ｙ方向）にも交互に配されて互いに重ならない位置となっている。そして、第２内側開孔部２５２及び第２外側開孔部２６２は、サイドシール部５側から吸収性本体３側、即ち縦方向（Ｘ方向）に延びる中心線ＣＬ１側に向かって、横方向（Ｙ方向）内方に向かうに従って漸次開孔面積が小さく形成されている。
【００３８】
上述した本発明の第２実施形態のおむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態のパンツ型使い捨ておむつ１Ａの効果の説明が適宜適用される。
【００３９】
第２実施形態のおむつ１Ｂは、図５に示すように、内側開孔部２５及び外側開孔部２６は、吸収性本体３側に在るものの方が、サイドシール部５側に在るものに比べて、開孔面積が小さく形成されている。その為、漏れに対する不安を使用者が想起し難く、使用感が向上する。
【００４０】
本発明のパンツ型吸収性物品は、上述した第１実施形態のおむつ１Ａ、第２実施形態のおむつ１Ｂに何ら制限されるものではなく、適宜変更可能である。
例えば、上述したおむつ１Ａ，１Ｂの有する内側開孔部２５と外側開孔部２６は、図３，図５に示すように、規則正しく、縦方向（Ｘ方向）に交互に配されて互いに重ならない位置となっており、横方向（Ｙ方向）にも交互に配されて互いに重ならない位置となっているが、互いに重ならない位置となっていればよい。
【００４１】
また、上述したおむつ１Ａ，１Ｂにおいては、図２に示すように、内層シート部材２１が１枚のシートから形成されているが、複数枚のシートから形成されていてもよい。また、外層シート部材２２も１枚のシートから形成されているが、外層シート部材２２も同様に、複数枚のシートから形成されていてもよい。
【００４２】
また、上述したおむつ１Ａ，１Ｂにおいては、図３，図５に示すように、非弾性部材配置領域である股下領域Ｃに配された第２内側開孔部２５２及び第２外側開孔部２６２は、その開孔面積が、弾性部材配置領域である腹側領域Ａ及び背側領域Ｂそれぞれに配された第１内側開孔部２５１及び第１外側開孔部２６１の開孔面積よりも大きくなっているが、均一な同じ開口面積であってもよい。また、上述したおむつ１Ａ，１Ｂにおいては、弾性部材配置領域である腹側領域Ａ及び背側領域Ｂにおいては、第１内側開孔部２５１の開孔面積（Ｓ３）が、第１外側開孔部２６１の開孔面積（Ｓ４）よりも大きくなっているが、第１内側開孔部２５１の開孔面積と第１外側開孔部２６１の開孔面積が等しくてもよい。また、弾性部材配置領域である股下領域Ｃにおいては、第２内側開孔部２５２の開孔面積（Ｓ５）が、第２外側開孔部２６２の開孔面積（Ｓ６）よりも大きくなっているが、第２内側開孔部２５２の開孔面積と第２外側開孔部２６２の開孔面積とが等しくてもよい。
【００４３】
また、上述したおむつ１Ｂにおいては、図５に示すように、第１内側開孔部２５１及び第１外側開孔部２６１は、サイドシール部５側から吸収性本体３側、即ち縦方向（Ｘ方向）に延びる中心線ＣＬ１側に向かって、横方向（Ｙ方向）内方に向かうに従って漸次開孔面積が小さく形成されているが、段階的に開口面積が小さく形成されていてもよい。また、第２内側開孔部２５２及び第２外側開孔部２６２も同様に、サイドシール部５側から吸収性本体３側に向かって、段階的に開口面積が小さく形成されていてもよい。
【００４４】
また、上述したおむつ１Ｂにおいては、図５に示すように、内側開孔部２５及び外側開孔部２６は、サイドシール部５側から吸収性本体３側に向かって、横方向（Ｙ方向）内方に向かうに従ってのみ、開口面積が小さく形成されているが、縦方向（Ｘ方向）内方に向かうに従って、開口面積が小さく形成されていてもよく、縦方向（Ｘ方向）及び横方向（Ｙ方向）内方に向かうに従って、開口面積が小さく形成されていてもよい。
【００４５】
また、本発明におけるパンツ型吸収性物品は、パンツ型使い捨ておむつに限られず、パンツ型の生理用ナプキンであっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００４６】
上述した実施形態に関し、さらに以下のパンツ型吸収性物品を開示する。
【００４７】
＜１＞
着用時に着用者の腹側に配される腹側領域及び着用時に着用者の背側に配される背側領域を有する外装体と、該外装体の内側に固定された縦長の吸収体を有す吸収性本体とを具備し、前記腹側領域及び前記背側領域それぞれの両側縁部が接合されて、一対のサイドシール部、ウエスト開口部及び一対のレッグ開口部が形成されたパンツ型吸収性物品であって、
前記外装体は、肌対向面側の内層シート部材と非肌対向面側の外層シート部材との間に、前記パンツ型吸収性物品の横方向に伸長した状態で配された弾性部材が、前記パンツ型吸収性物品の縦方向に、複数本間欠的に配されて形成されており、
前記内層シート部材は複数個の内側開孔部を有し、前記外層シート部材は複数個の外側開孔部を有しており、
前記外装体は、前記内側開孔部と前記外側開孔部とが混在して互いに重ならない位置に配されて形成されており、
各前記弾性部材を挟んで、前記パンツ型吸収性物品の縦方向の上側領域に配された前記内側開孔部及び前記外側開孔部の総数と、該縦方向の下側領域に配された前記内側開孔部及び前記外側開孔部の総数とが同じであるパンツ型吸収性物品。
【００４８】
＜２＞
前記外装体は、少なくとも背側領域において、前記内側開孔部と前記外側開孔部とが混在して互いに重ならない位置に配されて形成されている前記＜１＞に記載のパンツ型吸収性物品。
＜３＞
前記外装体は、前記内側開孔部と前記外側開孔部とが交互に配されて形成されている前記＜１＞又は＜２＞に記載のパンツ型吸収性物品。
＜４＞
弾性部材配置領域である腹側領域及び背側領域それぞれにおいては、前記内側開孔部と前記外側開孔部が、縦方向（Ｘ方向）に交互に配されて互いに重ならない位置となっており、横方向（Ｙ方向）にも交互に配されて互いに重ならない位置となっている前記＜１＞〜＜３＞の何れか１に記載のパンツ型吸収性物品。
＜５＞
非弾性部材配置領域である股下領域Ｃにおいては、前記内側開孔部と前記外側開孔部が、横方向（Ｙ方向）に交互に配されて互いに重ならない位置となっており、前記吸収性本体の横方向に延びる中心線ＣＬ２に線対称となる位置に配されている前記＜１＞〜＜４＞の何れか１に記載のパンツ型吸収性物品。
＜６＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記弾性部材配置領域である腹側領域及び背側領域それぞれにおいては、縦方向（Ｘ方向）に間欠的に配された弾性部材の間に、前記第１内側開孔部及び前記第１外側開孔部が交互に１個ずつ配されている前記＜１＞〜＜５＞の何れか１に記載のパンツ型吸収性物品。
＜７＞
前記パンツ型吸収性物品の縦方向に間欠的に配された前記弾性部材の間に、少なくとも前記内側開孔部が配されている前記＜１＞〜＜６＞の何れか１に記載のパンツ型吸収性物品。
＜８＞
前記内側開孔部及び前記外側開孔部は、それぞれ、前記パンツ型吸収性物品の縦方向に長い形状である前記＜１＞〜＜７＞の何れか１に記載のパンツ型吸収性物品。
＜９＞
前記内側開孔部及び前記外側開孔部は、平面視して、縦方向（Ｘ方向）に長い楕円形状に形成されている前記＜１＞〜＜８＞の何れか１に記載のパンツ型吸収性物品。
＜１０＞
前記外側開孔部は、図柄模様に形成されている前記＜１＞〜＜９＞の何れか１に記載のパンツ型吸収性物品。
＜１１＞
前記外装体は、前記腹側領域から前記背側領域に亘って形成されており、
前記内側開孔部及び前記外側開孔部は、複数本の前記弾性部材が配されていない非弾性部材配置領域に在るものの方が、該弾性部材が配された弾性部材配置領域に在るものに比べて、開孔面積が大きい前記＜１＞〜＜１０＞の何れか１に記載のパンツ型吸収性物品。
【００４９】
＜１２＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記弾性部材配置領域における前記第１内側開孔部及び前記第１外側開孔部の開孔面積（Ｓ１）に対する前記非弾性部材配置領域における前記第２内側開孔部及び前記第２外側開孔部の開孔面積（Ｓ２）の比（Ｓ２／Ｓ１）が、２以上５００以下、好ましく５以上１００以下である前記＜１＞〜＜１１＞の何れか１に記載のパンツ型吸収性物品。
＜１３＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記弾性部材配置領域（腹側領域及び背側領域）においては、前記第１内側開孔部の開孔面積（Ｓ３）が、前記第１外側開孔部の開孔面積（Ｓ４）よりも大きい前記＜１＞〜＜１２＞の何れか１に記載のパンツ型吸収性物品。
＜１４＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記第１外側開孔部の開孔面積（Ｓ４）に対する前記第１内側開孔部の開孔面積（Ｓ３）の比（Ｓ３／Ｓ４）が、２以上１００以下、好ましくは２以上５０以下である前記＜１＞〜＜１３＞の何れか１に記載のパンツ型吸収性物品。
＜１５＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記非弾性部材配置領域（股下領域）においては、前記第２内側開孔部の開孔面積（Ｓ５）が、前記第２外側開孔部の開孔面積（Ｓ６）よりも大きい前記＜１＞〜＜１４＞の何れか１に記載のパンツ型吸収性物品。
＜１６＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記第２外側開孔部の開孔面積（Ｓ６）に対する前記第２内側開孔部の開孔面積（Ｓ５）の比（Ｓ５／Ｓ６）が、２以上３０以下、好ましくは２以上１０以下である前記＜１＞〜＜１５＞の何れか１に記載のパンツ型吸収性物品。
＜１７＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記弾性部材配置領域における前記第１内側開孔部及び前記第１外側開孔部の平均開孔面積は、それぞれ、１ｍｍ２以上１００ｍｍ２以下であることが好ましく前記＜１＞〜＜１６＞の何れか１に記載のパンツ型吸収性物品。
＜１８＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記非弾性部材配置領域における前記第２内側開孔部及び前記第２外側開孔部の平均開孔面積は、２０ｍｍ２以上１５００ｍｍ２以下であることが好ましい前記＜１＞〜＜１７＞の何れか１に記載のパンツ型吸収性物品。
＜１９＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記弾性部材配置領域においては、前記第１内側開孔部の開孔面積と前記第１外側開孔部の開孔面積とがほぼ等しい前記＜１＞〜＜１０＞の何れか１に記載のパンツ型吸収性物品。
＜２０＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記非弾性部材配置領域においては、前記第２内側開孔部の開孔面積と前記第２外側開孔部の開孔面積とがほぼ等しい前記＜１＞〜＜１２＞の何れか１に記載のパンツ型吸収性物品。
【００５０】
＜２１＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記非弾性部材配置領域である股下領域に配された前記第２内側開孔部の形状が、前記第１内側開孔部及び前記第１外側開孔部の開口面積よりも大きな縦方向（Ｘ方向）に長い楕円形状に形成されている前記＜１＞〜＜２０＞の何れか１に記載のパンツ型吸収性物品。
＜２２＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記非弾性部材配置領域である股下領域に配された前記第２外側開孔部の形状が、前記第１内側開孔部及び前記第１外側開孔部の開口面積よりも大きい、星柄の図柄形状に形成されている前記＜１＞〜＜２０＞の何れか１に記載のパンツ型吸収性物品。
＜２３＞
前記内側開孔部及び前記外側開孔部は、前記吸収性本体側に在るものの方が、前記サイドシール部側に在るものに比べて、開孔面積が小さい前記＜１＞〜＜２２＞の何れか１に記載のパンツ型吸収性物品。
＜２４＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記第１内側開孔部及び前記第１外側開孔部は、前記サイドシール部側から前記吸収性本体側に向かって、横方向（Ｙ方向）内方に向かうに従って漸次開孔面積が小さく形成されている前記＜１＞〜＜２３＞の何れか１に記載のパンツ型吸収性物品。
＜２５＞
前記内側開孔部及び前記外側開孔部それぞれは、弾性部材配置領域である腹側領域及び背側領域それぞれに配された第１内側開孔部及び第１外側開孔部と、非弾性部材配置領域である股下領域に配された第２内側開孔部及び第２外側開孔部とを有しており、
前記第１内側開孔部及び前記第１外側開孔部は、前記サイドシール部側から前記吸収性本体側に向かって、横方向（Ｙ方向）内方に向かうに従って段階的に開口面積が小さく形成されている前記＜１＞〜＜２３＞の何れか１に記載のパンツ型吸収性物品。
【符号の説明】
【００５１】
１Ａ，１Ｂ  パンツ型使い捨ておむつ
２  外装体
２１  内層シート部材
２２  外層シート部材
２３  横方向（Ｙ方向）に伸長した状態で配された弾性部材
２４  でレッグ弾性部材
２５  内側開孔部
２６  外側開孔部
３  吸収性本体
３１  表面シート
３２  裏面シート
３３  吸収体
３４  側方カフス
３５  立体ギャザー形成用弾性部材
Ａ  腹側領域（弾性部材配置領域）
Ｂ  背側領域（弾性部材配置領域）
Ｃ  股下領域（非弾性部材配置領域）
ＣＬ１  縦方向に延びる中心線
ＣＬ２  横方向に延びる中心線
ＵＴ  上側領域
ＤＴ  下側領域
【図１】
2015128573.tif 000003
【図２】
2015128573.tif 000004
【図３】
2015128573.tif 000005
【図４】
2015128573.tif 000006
【図５】
2015128573.tif 000007